(57)【特許請求の範囲】
【請求項１】
カード基体と上記カード基体に搭載されたＩＣモジュールとを有するＩＣチップカードを嵌合するための凹部を有するＩＣカードアダプタにおいて、
上記凹部の側面には、上記ＩＣチップカードを固定するための突起と、上記凹部を通過する直線状の折り曲げ部とが設けられていることを特徴とするＩＣカードアダプタ。
【請求項２】
上記折り曲げ部が肉厚の小さい部分であることを特徴とする請求項１に記載のＩＣカードアダプタ。
【請求項３】
前記突起が前記凹部の周縁部に部分的に設けられていることを特徴とする請求項１に記載のＩＣカードアダプタ。
【発明の詳細な説明】
【０００１】
【発明の属する技術分野】
本発明は、ＩＣモジュールを搭載したＩＣチップカードを使用するために用いるＩＣカードアダプタに関する。
【０００２】
【従来の技術】
極めて広い範囲で流通する製品については、異なる製造者によって製造された製品を、同一装置で使用しなければならないため、製品の規格化（標準化）が必要である。この必要性は特にクレジットカードに代表されるカード分野において見られ、ＩＣチップを搭載したＩＣカードも例外ではない。このため、カードの外形寸法や端子の位置などの詳細な規格化が行われている。例えば、外部端子付きのＩＣカードの外形寸法および端子の位置は、ＩＳＯ／ＩＥＣ−７８１６シリーズにおいて国際標準規格が制定されている。
【０００３】
しかし、近年、携帯電話機に代表される小型化が進んだ端末機器においては、上記の規格にあるカード形状がより一層の小型化の妨げになっている。このため、携帯電話の加入者識別票（ＳＩＭ：ＳＵＢＳＣＲＩＢＥＲ  ＩＤＥＮＴＩＴＹＭＯＤＵＬＥ）などには、国際標準規格のカードよりも外形寸法を小さくしたＩＣチップカードが使用されている。このようなＩＣチップカードの製造には、例えば、特開平６−２４１８８号公報に開示されているように、国際標準規格のフォーマットのＩＣカードに対してカード発行装置で発行処理を行った後に、必要な大きさのＩＣチップカードを、このＩＣカードから切り抜くといった方法で行われている。
【０００４】
【発明が解決しようとする課題】
しかし、通常より小さいＩＣチップカードは、搬送したり保持したりする場合には不便である。また、今後、銀行や信販会社などの有する一つのシステムでＩＣチップカードを、国際標準規格のフォーマットのカード（例えばクレジットカードや銀行で使用するカード）と併用する場合が考えられる。そのような場合には、規格サイズのカードを本来読み取るカード読み取り装置によっても、小さいＩＣチップカードの読み取りが行えるようにする必要がある。このため、ＩＣチップカードを規格サイズのカードと同じ大きさにする必要があるだけでなく、それぞれの役割を規定された複数の外部端子の位置を、規格サイズのカードにおける外部端子の位置に正確に合わせる必要もある。
【０００５】
本発明は上記の事情を考慮してなされたものであり、ＩＣチップカードを保持するのに便利であり、かつ、他のフォーマットのカードを読み取るシステムにおいてもＩＣチップカードを使用できるようにするＩＣカードアダプタを提供することを目的とする。
【０００６】
【課題を解決するための手段】
上記課題を解決するため、本発明に係るＩＣカードアダプタは、カード基体と上記カード基体に搭載されたＩＣモジュールとを有するＩＣチップカードを嵌合するための凹部を有するＩＣカードアダプタにおいて、上記凹部の側面には、上記ＩＣチップカードを固定するための突起と、上記凹部を通過する直線状の折り曲げ部とが設けられていることを特徴とする。
【０００７】
この構造によれば、上記ＩＣチップカードを上記凹部に嵌合した場合、上記突起によって、上記ＩＣチップカードを上記ＩＣカードアダプタに固定することができる。このようにしてＩＣチップカードが固定されたＩＣカードアダプタを搬送したり保持したりすることによって、小さいＩＣチップカードでも、これを紛失する恐れが少なくなり、その上、ＩＣチップカードを探す手間も省けることになる。また、ＩＣカードアダプタの凹部にＩＣチップカードを嵌合したものを、規格サイズのカードと同じ大きさにすることができ、さらに、ＩＣチップカードの外部端子が規格サイズのカードにおける外部端子の位置に合うようにすることもできる。従って、規格サイズのカードを本来読み取るカード読み取り装置によっても、小さいＩＣチップカードの読み取りを行うことができる。
【０００８】
また、この構造によれば、上記折り曲げ部に沿ってＩＣカードアダプタを折り曲げることによって、ＩＣチップカードのＩＣカードアダプタからの着脱を容易にすることができる。
【０００９】
また、請求項２に記載の発明は、上記折り曲げ部が肉厚の小さい部分であることを特徴とする。このことによって、二つのＩＣカードアダプタの基体をテープ等で貼付して上記折り曲げ部を形成するといった複雑な工程の必要がない。
【００１０】
【発明の実施の形態】
以下、図面を参照して本発明の実施形態について説明する。
（１）  実施形態の構成
まず、図１は本発明の実施形態に係るＩＣカードアダプタ１にＩＣチップカード５が嵌合された状態を示す斜視図であり、図２は図１のＡ−Ａ´線に沿って視た断面図であり、図３は図１のＢ−Ｂ´線に沿って視た断面図である。図１、図２および図３に示すように、ＩＣチップカード５は、ＩＣチップカード基体２にＩＣモジュール４が埋設されることによって形成されている。ＩＣモジュール４は、マイクロコンピュータの機能を持つＩＣチップを有しており、ＩＣモジュール４の表面上には、それぞれの役割が規定された複数の外部端子３が設けられている。
【００１１】
図４はＩＣカードアダプタ１を示す斜視図である。図２、図３および図４に示すように、ＩＣカードアダプタ１には、ＩＣチップカード５を嵌合するための凹部６が形成されている。また、凹部６の周縁部には、ＩＣチップカード５を固定するための突起７が全周に設けられている。突起７は凹部６の内側に向けて突設されている。また、突起７は、ＩＣチップカード５がＩＣカードアダプタ１に嵌合されたときに、ＩＣチップカード５に密着して固定する。
【００１２】
ＩＣカードアダプタ１の外形寸法は、ＩＳＯ／ＩＥＣ−７８１６シリーズにおいて制定されている国際標準規格に基づくカードサイズと同じ大きさである。また、凹部６は、ＩＣチップカード５がＩＣカードアダプタ１に嵌合されたときに、ＩＣモジュール４の表面上の外部端子３の位置を上記の国際標準規格に基づく外部端子の位置に合わせることができるように形成されている。
【００１３】
図５に示すように、ＩＣカードアダプタ１には、凹部６を通過する直線状の折り曲げ部８が設けられている。折り曲げ部８は、ＩＣカードアダプタの長手方向に対して垂直な方向にＩＣカードアダプタ１の肉厚を小さくすることによって形成されている。
【００１４】
上記ＩＣカードアダプタ１は、国際標準規格のフォーマットのＩＣカードに対してカード発行処理装置で発行処理を行った後に、必要な大きさのＩＣチップカード５を切り抜いた後、凹部６に突起７を溶着等の手段によって固着することにより形成することができる。また、ＩＣチップカード５とは、全く別個に製造してもよい。この場合、突起７はＩＣカードアダプタ１と一体成形するとよい。
【００１５】
（２）  実施形態による効果
上記の実施形態の構造によれば、ＩＣチップカード５を突起７によって固定することができる。このようにして、ＩＣチップカード５をＩＣカードアダプタ１に装着することによって、国際標準規格に基づくカードを読み取るシステムにおいても、ＩＣチップカード５のデータの読み取り等の処理を行うことができる。これは、ＩＣチップカード５がＩＣカードアダプタ１に装着されたものが、上記規格に基づくカードサイズになされており、また、外部端子の位置も上記規格に基づく位置に配置されているためである。また、ＩＣカードアダプタ１からＩＣチップカード５を取り外すことによって、ＩＣチップカード５を、その本来の用途である携帯電話の加入者識別票などとして用いることができる。
【００１６】
また、ＩＣカードアダプタ１を折り曲げ部８に沿って折り曲げることによって、ＩＣチップカード５をＩＣカードアダプタ１からの着脱を容易にすることができる。なお、二つのＩＣカードアダプタの基体をテープ等で貼着して折り曲げ部を形成することもできる。但し、上記の実施形態のようにＩＣカードアダプタ１の肉厚を小さくすることによって折り曲げ部を形成する方が工程的に簡単である。
【００１７】
（３）実施形態の変更例
上記の実施形態では、図２、図３および図４に示すように、突起７を凹部６の周縁部の全周にわたって設けていたが、図６に示すように、複数（図示は４個）の突起７ａを凹部６の周縁部に部分的に設けるようにしてもよい。また、突起の形状は、ＩＣチップカード５がＩＣカードアダプタ１に嵌合されたときに、ＩＣチップカード５に密着して固定できるのであれば、どのような形状であってもよい。
【００１８】
なお、上記の実施形態に限定されることなく、ＩＣカードアダプタの外形寸法および凹部６の形状は必要に合わせて変形することが可能である。
【００１９】
【発明の効果】
以上説明したように、本発明によれば、小さいＩＣチップカードを搬送や保持が容易なＩＣカードアダプタに固定することができる。また、他のフォーマットのカードサイズや端子の位置にＩＣチップカードのカードサイズや端子の位置を合わせることができる。従って、他のフォーマットのカードを読み取るシステムにおいてもＩＣチップカードを使用することができる。
【図面の簡単な説明】
【図１】  本発明の一実施形態に係るＩＣカードアダプタにＩＣチップカードが嵌合された状態を示す斜視図である。
【図２】  図１のＡ−Ａ´線に沿って視た断面図である。
【図３】  図１のＢ−Ｂ´線に沿って視た断面図である。
【図４】  上記ＩＣカードアダプタを示す斜視図である。
【図５】  上記ＩＣカードアダプタが折り曲げ部に沿って折り曲げられた状態を示す斜視図である。
【図６】  本発明の実施形態の変更例に係るＩＣカードアダプタを示す平面図である。
【符号の説明】
１…ＩＣカードアダプタ、２…ＩＣチップカード基体、３…外部端子、４…ＩＣモジュール、５…ＩＣチップカード、６…凹部、７…突起、７ａ…突起、８…折り曲げ部
【図１】
0003845943.tif 000002
【図２】
0003845943.tif 000003
【図３】
0003845943.tif 000004
【図４】
0003845943.tif 000005
【図５】
0003845943.tif 000006
【図６】
0003845943.tif 000007